(57)【要約】      （修正有）【課題】増加した操作性を有し、周囲の組織に対する外傷を最小にし、相反する要因の釣り合いを首尾よく達成する、最小侵襲性外科手術手順のための標本回収デバイスを提供すること。【解決手段】細長部材１１０；該細長部材から延びる支持部材１４０であって、該支持部材は、つぶれた挿入位置と拡張位置との間で移動可能である、支持部材；該支持部材から延びる回収バッグ１３０であって、該回収バッグは、第一の端部および閉じた第二の端部を有し、該第一の端部は、該支持部材が該拡張位置へと移動する際に開構成に移動可能である、回収バッグ；ならびに該回収バッグ内に配置されて該回収バッグに取り外し可能に接続されたネット１５０であって、組織標本を受け取って引き出すように構成されている、ネット、を備える、外科手術用回収装置１００。【選択図】図２
2011156352.tif 000002
【特許請求の範囲】
【請求項１】
細長部材；
該細長部材から延びる支持部材であって、該支持部材は、つぶれた挿入位置と拡張位置との間で移動可能である、支持部材；
該支持部材から延びる回収バッグであって、該回収バッグは、第一の端部および閉じた第二の端部を有し、該第一の端部は、該支持部材が該拡張位置へと移動する際に開構成に移動可能である、回収バッグ；ならびに
該回収バッグ内に配置されて該回収バッグに取り外し可能に接続されたネットであって、組織標本を受け取って引き出すように構成されている、ネット、
を備える、外科手術用回収装置。
【請求項２】
前記支持部材が前記細長部材に旋回可能に取り付けられている、請求項１に記載の外科手術用回収装置。
【請求項３】
前記ネットが前記回収バッグの穿孔領域に沿って取り外し可能に接続されている、請求項１または２に記載の外科手術用回収装置。
【請求項４】
前記ネットが、前記回収バッグの上外周に沿って延びる穿孔線に沿って該回収バッグに取り外し可能に接続されている、請求項３に記載の外科手術用回収装置。
【請求項５】
前記ネットが、前記組織サンプルの寸法より小さい寸法を有し、取り出し中に該組織サンプルを圧縮する、請求項１〜５のいずれか１項に記載の外科手術用回収装置。
【請求項６】
前記ネットが前記回収バッグの内側表面に取り付けられている、請求項１または２に記載の外科手術用回収装置。
【請求項７】
取り外された前記ネットが幅より大きい長さを有する、請求項１〜６のいずれか１項に記載の外科手術用回収装置。
【請求項８】
前記ネットの取り付けが、該ネットをより広い横方向断面まで伸ばし、そして該ネットの取り外しが、該ネットがより狭い横方向断面まで戻ることを可能にする、請求項６に記載の外科手術用回収装置。
【請求項９】
細長部材、該細長部材の遠位部分に隣接する支持部材、該支持部材により支持される標本回収バッグ、および該回収バッグ内に配置された組織標本圧縮部材を備える外科手術用回収装置であって、該圧縮部材は、患者の切開を通しての組織標本の取り出し中に、該組織標本に圧縮力を提供する、外科手術用回収装置。
【請求項１０】
前記圧縮部材がメッシュ構造体を備える、請求項９に記載の外科手術用回収装置。
【請求項１１】
前記圧縮部材が前記回収バッグに取り外し可能に接続されている、請求項９または１０に記載の外科手術用回収装置。
【請求項１２】
前記圧縮部材が前記回収バッグの穿孔領域に沿って接続されている、請求項１１に記載の外科手術用回収装置。
【請求項１３】
前記圧縮部材が前記回収バッグの内側表面に取り付けられている、請求項９〜１１のいずれか１項に記載の外科手術用回収装置。
【請求項１４】
前記圧縮部材の取り外しが、該圧縮部材がより小さい横方向断面寸法に移動することを可能にする、請求項１１に記載の外科手術用回収装置。
【発明の詳細な説明】
【技術分野】
【０００１】
本願は、２０１０年２月３日に出願された仮出願番号６１／３０１，１３７に対する優先権を主張する。この仮出願の全内容は、本明細書中に参考として援用される。
【０００２】
（１．技術分野）
本開示は、外科手術用収容装置に関する。より特定すると、本開示は、最小侵襲性外科手術手順において使用するための、標本回収装置に関する。
【背景技術】
【０００３】
（２．関連技術の背景）
最小侵襲性外科手術手順において、手術は、身体の小さい入口開口部を通して挿入された細長器具を使用することにより、身体内で行われる。身体の内側への器具の通過を可能にするための、身体組織の最初の開口部は、身体の自然の通路であり得るか、または組織穿孔器具（例えば、トロカール）により作製され得るか、または小さい切開により作製され得、この開口部にカニューレが挿入される。
【０００４】
管、器具類、および必要とされる任意の穿孔または切開は、比較的小さいので、この外科手術は、従来の外科手術手順（外科医が身体組織の大きい領域を切り開くことを必要とされる）と比較して、侵襲性が低い。従って、最小侵襲性外科手術は、患者に対する外傷を最小にし、そして患者の回復時間および病院での費用を減少させる。
【０００５】
最小侵襲性手順は、身体組織または器官を、身体の内側から部分的にかまたは完全に取り出すために使用され得る（例えば、腎摘出術、胆嚢摘出術、ロベクトミーおよび他の手順（胸部手順、腹腔鏡手順および内視鏡手順が挙げられる））。このような手順中に、嚢胞、腫瘍、または他の罹患した組織もしくは器官が、皮膚のアクセス開口部またはカニューレを通して取り出されることが必要とされることは、通常のことである。この手順を容易にするための種々の型の捕捉デバイスが開示されている。がん性腫瘍が取り出される多くの手順において、閉じた環境内の標本の取り出しは、がん細胞の播種を防止するために非常に望ましい。
【０００６】
最小侵襲性胸部手術において、胸腔へのアクセスは制限され、そして胸腔内での操作性もまた制限される。なぜなら、アクセスポートが患者の肋骨間の限られた空間の間に配置されるからである。このような手順（一般に、ビデオ補助下胸部手術（ＶＡＴＳ）と称される）は、観血手順においてのように肋骨を広げることなく、自然な肋間隙を通して胸腔にアクセスすることによって、患者の回復時間を短縮することを目的とする。この制限されたアクセスは時々、大きい標本を取り出す場合に、問題を引き起こし得る。さらに、このような手順（例えば、胸腔鏡楔状切除術およびロベクトミー）において、肺の一部分を取り出し、そして病理学のために比較的インタクトに回収させることが、しばしば必要である。操作中および取り出し中のがん細胞の播種を防止するために充分に標本が閉じ込められることもまた重要である。
【０００７】
このような標本回収器具類を設計する際に、断裂または破裂を防止するために充分に強い収容バッグを有する回収装置を提供することの必要性と、同時に操作および回収を可能にするために充分な硬さを提供することとの間の釣り合いが取られなければならない。達成される必要がある別の釣り合いは、操作中および取り出し中に、充分な操作性を提供しながら、組織の外傷（例えば、肺組織の損傷）を減少させることである。さらに、器具類は、一方では、小さいアクセス切開またはポートを通して挿入されることができるべきであり、他方では、広範な患者のサイズに適応し得、そして大きい標本を容易に取り出すことができ、かつ播種の危険性を最小にすることができるべきである。
【発明の概要】
【発明が解決しようとする課題】
【０００８】
従って、増加した操作性を有し、周囲の組織に対する外傷を最小にし、そして上に列挙された相反する要因の釣り合いを首尾よく達成する、最小侵襲性外科手術手順のための標本回収デバイスを提供することが有利である。
【課題を解決するための手段】
【０００９】
上記課題を解決するために、本発明は、例えば、以下を提供する：
（項目１）
細長部材；
該細長部材から延びる支持部材であって、該支持部材は、つぶれた挿入位置と拡張位置との間で移動可能である、支持部材；
該支持部材から延びる回収バッグであって、該回収バッグは、第一の端部および閉じた第二の端部を有し、該第一の端部は、該支持部材が該拡張位置へと移動する際に開構成に移動可能である、回収バッグ；ならびに
該回収バッグ内に配置されて該回収バッグに取り外し可能に接続されたネットであって、組織標本を受け取って引き出すように構成されている、ネット、
を備える、外科手術用回収装置。
（項目２）
上記支持部材が上記細長部材に旋回可能に取り付けられている、上記項目に記載の外科手術用回収装置。
（項目３）
上記ネットが上記回収バッグの穿孔領域に沿って取り外し可能に接続されている、上記項目のうちのいずれかに記載の外科手術用回収装置。
（項目４）
上記ネットが、上記回収バッグの上外周に沿って延びる穿孔線に沿って該回収バッグに取り外し可能に接続されている、上記項目のうちのいずれかに記載の外科手術用回収装置。
（項目５）
上記ネットが、上記組織サンプルの寸法より小さい寸法を有し、取り出し中に該組織サンプルを圧縮する、上記項目のうちのいずれかに記載の外科手術用回収装置。
（項目６）
上記ネットが上記回収バッグの内側表面に取り付けられている、上記項目のうちのいずれかに記載の外科手術用回収装置。
（項目７）
取り外された上記ネットが幅より大きい長さを有する、上記項目のうちのいずれかに記載の外科手術用回収装置。
（項目８）
上記ネットの取り付けが、該ネットをより広い横方向断面まで伸ばし、そして該ネットの取り外しが、該ネットがより狭い横方向断面まで戻ることを可能にする、上記項目のうちのいずれかに記載の外科手術用回収装置。
（項目９）
細長部材、該細長部材の遠位部分に隣接する支持部材、該支持部材により支持される標本回収バッグ、および該回収バッグ内に配置された組織標本圧縮部材を備える外科手術用回収装置であって、該圧縮部材は、患者の切開を通しての組織標本の取り出し中に、該組織標本に圧縮力を提供する、外科手術用回収装置。
（項目１０）
上記圧縮部材がメッシュ構造体を備える、上記項目に記載の外科手術用回収装置。
（項目１１）
上記圧縮部材が上記回収バッグに取り外し可能に接続されている、上記項目のうちのいずれかに記載の外科手術用回収装置。
（項目１２）
上記圧縮部材が上記回収バッグの穿孔領域に沿って接続されている、上記項目のうちのいずれかに記載の外科手術用回収装置。
（項目１３）
上記圧縮部材が上記回収バッグの内側表面に取り付けられている、上記項目のうちのいずれかに記載の外科手術用回収装置。
（項目１４）
上記圧縮部材の取り外しが、該圧縮部材がより小さい横方向断面寸法に移動することを可能にする、上記項目のうちのいずれかに記載の外科手術用回収装置。
（項目１５）
上記支持部材が上記細長部材に旋回可能に取り付けられている、上記項目のうちのいずれかに記載の外科手術用回収装置。
（項目１６）
組織標本を患者から回収する方法であって、
ａ）外科手術用回収装置を提供する工程であって、該外科手術用回収装置は、
支持部材；
該支持部材から延び、第一の端部および閉じた第二の端部を有する回収バッグであって、該第一の端部は、閉構成と開構成との間で移動可能である、回収バッグ；ならびに
該回収バッグ内に配置されたネット；
を備える、工程；
ｂ）該支持部材を体腔に導入して、第一の位置から第二の拡張位置への移動を可能にし、該回収バッグの該第一の端部を該開構成に移動させる工程；
ｃ）該組織標本を、該回収バッグの該第一の端部を通して該ネット内へと移動させる工程；ならびに
ｄ）該ネットに力を付与して該標本を取り出す工程、
を包含する、方法。
（項目１７）
上記ネットに力を付与する工程が、該ネットを上記回収バッグから取り外す、上記項目に記載の方法。
（項目１８）
上記支持部材および上記回収バッグが、切開を通しての挿入のための送達管を通して挿入可能である、上記項目のうちのいずれかに記載の方法。
（項目１９）
上記支持部材を体腔に導入する工程が、該支持部材を胸腔に導入する工程を包含する、上記項目のうちのいずれかに記載の方法。
（項目２０）
上記支持部材が細長部材に取り付けられており、そして上記方法が、該支持部材を操作して、上記回収バッグの上記第一の端部を上記組織標本に隣接させる工程をさらに包含する、上記項目のうちのいずれかに記載の方法。
【００１０】
（摘要）
細長部材および支持部材を有する外科手術用回収装置であって、この支持部材は、この細長部材から延び、つぶれた挿入位置と拡張位置との間で移動可能である。回収バッグがこの支持部材から延び、そして第一の端部および閉じた第二の端部を有し、この第一の端部は、この支持部材がこの拡張位置に移動すると、開構成に移動可能である。ネットがこの回収バッグ内に配置され、そしてこの回収バッグに取り外し可能に接続される。
【００１１】
（要旨）
本開示は、外科手術用回収装置に関する。本開示は、１つの局面において、細長部材および支持部材を備える外科手術用回収装置を提供し、この支持部材は、この細長部材から延び、そしてつぶれた挿入位置と拡張位置との間で移動可能である。回収バッグがこの支持部材から延び、そして第一の端部および閉じた第二の端部を有し、この第一の端部は、支持部材が拡張位置まで移動する場合に、開構成に移動可能である。ネットが、この回収バッグ内に配置され、そしてこの回収バッグに取り外し可能に接続されている。このネットは、組織標本を受け取って引き出すように構成される。
【００１２】
いくつかの実施形態において、この支持部材は、この細長部材に旋回可能に取り付けられる。このネットは、この回収バッグの内側表面に取り付けられ得る。いくつかの実施形態において、このネットは、この回収バッグの穿孔領域に沿って取り外し可能に接続される。このネットは、好ましくは、組織サンプルの寸法より小さい寸法を有して、取り出し中にこの組織サンプルを圧縮する。
【００１３】
別の局面において、本開示は、細長部材、この細長部材の遠位部分に隣接する支持部材、この支持部材により支持される標本回収バッグ、およびこの回収バッグ内に配置された組織標本圧縮部材を備える、外科手術用回収装置を提供し、この圧縮部材は、患者の切開を通しての取り出し中に、組織標本に圧縮力を提供する。
【００１４】
いくつかの実施形態において、この圧縮部材は、メッシュ構造体を備える。この圧縮部材は、好ましくは、この回収バッグに取り外し可能に接続される。いくつかの実施形態において、この圧縮部材の取り外しは、この圧縮部材がより小さい横方向断面寸法に移動することを可能にする。
【００１５】
別の局面において、本開示は、組織標本を患者から回収する方法を提供し、この方法は、
ａ）外科手術用回収装置を提供する工程であって、この外科手術用回収装置は、
支持部材；
この支持部材から延び、そして第一の端部および閉じた第二の端部を有する回収バッグであって、この第一の端部は、閉構成と開構成との間で移動可能である、回収バッグ；ならびに
この回収バッグ内に配置されたネット；
を備える、工程；
ｂ）この支持部材を体腔に導入して、第一の位置から第二の拡張位置への移動を可能にし、この回収バッグの第一の端部を開構成に移動させる工程；
ｃ）この組織標本を、この回収バッグの第一の端部を通してこのネット内に移動させる工程；ならびに
ｄ）このネットに力を付与してこの標本を取り出す工程、
を包含する。
【００１６】
いくつかの実施形態において、このネットに力を付与する工程は、このネットをこの回収バッグから取り外す。この支持部材およびこの回収バッグは、切開を通しての挿入のための送達管を通して挿入可能であり得る。
【００１７】
いくつかの実施形態において、支持部材を導入する工程は、この支持部材を胸腔に導入する工程を包含する。
【００１８】
本開示の標本回収装置の実施形態が、図面を参照しながら本明細書中で以下に説明される。
【発明の効果】
【００１９】
本発明により、増加した操作性を有し、周囲の組織に対する外傷を最小にし、そして上に列挙された相反する要因の釣り合いを首尾よく達成する、最小侵襲性外科手術手順のための標本回収デバイスが提供される。
【図面の簡単な説明】
【００２０】
【図１】図１は、つぶれた挿入位置にある本開示の標本回収装置の斜視図である。
【図２】図２は、図１の回収バッグを拡張位置で示す、本開示の標本回収装置の斜視図である。
【図３】図３は、図２の回収バッグの一部分の拡大図である。
【図４】図４は、体腔へのアクセスのための切開内に配置された送達管内の回収装置の斜視図である。
【図５】図５は、体腔内で展開されて組織標本に隣接して配置されている標本回収バッグの斜視図である。
【図６】図６は、開位置にある回収バッグ、および組織標本をこの回収バッグ内に配置する把持具の斜視図である。
【図７】図７は、組織標本が回収バッグ内に配置されており、そしてこのバッグが切開の方に引き込まれているところの斜視図である。
【図８】図８は、切開の縁部まで引き込まれた回収バッグの斜視図である。
【図９】図９は、回収バッグから引き出されている回収ネットの斜視図である。
【図１０】図１０は、切開から引き出される回収バッグおよびネットの斜視図である。
【発明を実施するための形態】
【００２１】
（実施形態の詳細な説明）
本開示の実施形態が、ここで図面を参照しながら詳細に記載される。図面において、同じ参照番号は、数枚の図の各々における同一の要素または対応する要素を表す。本明細書中で使用される場合、用語「遠位」とは、器具の使用者から遠い方の部分をいい、一方で、用語「近位」とは、器具の使用者に近い方の部分をいう。
【００２２】
本明細書中に開示される外科手術用回収装置は、身体の内部へのアクセスが、最小侵襲性手順においてのように、カニューレを使用してかまたは使用せずに、比較的小さい切開に限られている任意の手順において用途を見出し得る。本明細書中のデバイスは、胸腔へのアクセスが隣接肋骨間に位置する空間（肋間隙として公知である）を通してである最小侵襲性胸部手術において、特別な用途を見出し得る。
【００２３】
最初に図１および図２を参照すると、外科手術用回収装置１００が図示されている。外科手術用回収装置１００は、好ましくは、最小侵襲性外科手術手順（例えば、胸部手順、腹腔鏡手順、内視鏡手順）において使用するための構成および寸法にされる。外科手術用回収装置１００は、細長管状部材１１０および回収バッグ１３０を備える。回収バッグ１３０は、外周リングまたはリムの形態の支持部材１４０により支持される。リム１４０は、管状部材１１０の遠位端１１１に旋回可能に接続されて、腔内での回収バッグの操作性を増強し得る。
【００２４】
回収バッグ１３０内に、ネット１５０が配置されている。ネット１５０は、ポリマー材料のメッシュから構成され得るが、他の材料もまた想定される。例えば、このネットは、成形プラスチックから形成され得る。ネット１５０は、好ましくは、バッグ１３０の上外周に沿って延びる穿孔線１５２に沿ってバッグ１３０に取り付けられる。他の取り付け位置および他の取り付け方法もまた、想定される。このネットは、好ましい実施形態において、バッグ１３０と実質的に同じサイズであり得る。このネットは、バッグ１３０に取り付けられる場合、好ましくは、その口または開口部において、組織標本の断面より大きい直径を有し、この標本がこのネットに入ることを容易にし、そして取り外される場合、ネット１５０の一部分は、必要に応じて、この標本の横方向断面より小さい直径を有し（例えば、テーパにより達成される）、この組織が底部に落ちることを防止し得る。使用において、ネット１５０がバッグ１３０から引かれる際にこのネットに充分な力が付与されると、このネットはバッグ１３０から外れる。このことは、この装置の使用方法において、以下により詳細に記載される。ネット１５０は細長く、その幅より大きい長さを有することに留意のこと。
【００２５】
リム１４０は、形状記憶された拡張位置を有する形状記憶材料から構成され得る。あるいは、このリムは、挿入のためにこのリングをつぶす／圧縮すること、および体腔内への配置のために拡張することが可能な、他の材料（例えば、ばね様の特徴を示す材料）から構成されてもよい。
【００２６】
一旦、腔内に挿入されると、リム１４０の拡張は、リム１４０のバッグへの取り付けに起因して、バッグ１３０の口または開口部１３２を拡張させる。このバッグの反対側の閉じた端部は、参照番号１３４により表される。拡張はまた、バッグ１３０へのネットの取り付けに起因して、ネット１５０の開口部を拡張させる。
【００２７】
使用において、リム１４０および回収バッグ１３０は、つぶれた（例えば、折り畳まれた）構成（例えば、図１に示される構成）で、送達デバイス１０を通して送達され得る。理解され得るように、バッグ１３０をつぶれた構成で送達管１０を通して直接（バッグを覆って配置されたデバイスの一部として外部スリーブを用いずに）送達することにより、この装置の全体的なプロフィールが最小にされ、このことは、より小さい直径のアクセスポートまたは送達管が利用されることを可能にする。このデバイスはまた、送達管なしで、別のアクセスポートまたは切開を通して直接送達されて、プロフィールを減少させ得、そしてより小さい空間を占め得る。
【００２８】
ここで図４〜図１０を参照して、この外科手術用装置を使用して標本を体腔Ｃ（例えば、胸腔）から回収する方法が、ここで記載される。最初の工程において、送達管１０（装置１００をつぶれた位置または折り畳まれた位置で収容する）が、図４に示されるように、切開Ｉを通して、送達管１０の近位部分１２が切開Ｉおよび体腔Ｃの外側に延び、そして遠位部分１４が体腔Ｃ内に延びた状態で、配置される。次に、装置１００が外科医により送達管１０から前進させられて、管状部材１１０を遠位に前進させる。一旦、リム１４０が送達管１０の遠位部分１１５を越えて前進したら（または送達管１０がリム１４０を露出させるために充分な距離だけ引き込まれたら）、リム１４０は、送達管１０の壁の境界がなくなるので、このリムは自動的に、より大きい構成まで拡張し、これによって、図５に示されるように、バッグ１３０および口１３２の開口部の拡張を引き起こして、組織標本Ｓのための開口部を提示する。バッグの開口部１３２は、管状部材１１０の操作によって標本に向かうように配向され得ることに留意のこと。一旦、このリムが送達管１０から露出すると、送達管１０は、管状部材１１０の近位端上を引き出される。１つの実施形態において、管１０は、図４に示されるような剥離特徴を有し、管状部材１１０からの管１０の分離を可能にし得る。
【００２９】
次に、図６に示されるように、把持具１８０が、第二の切開を通って延びるアクセスポートＰを通して挿入される。把持具１８０は、１対の顎１８２、１８４を有し、これらの顎は、シャフト１８６から延び、そして開位置と閉位置との間で移動可能であり、標本Ｓを把持し、そしてこの標本をバッグ１３０の開口部１３２を通してその中に配置されたネット１５０内へと（開口部１５２を通して）入れる。把持具１８０はまた、標本Ｓ上でバッグ１３０を操作するために利用され得る。
【００３０】
バッグ１３０内のネット１５０内への標本Ｓの配置後、把持具１８０が引き出され、図７に示されるように、標本Ｓをネット１５０内に残す。把持具１８０は、この時点で、またはこの標本が取り出された後に、第二の切開を通して取り出され得る。次いで、管状部材１１０が引き込まれて、バッグ１３０の開口部１３２を引いて切開Ｉに隣接させ、そして部分的に、図８の位置まで切開の方へと上方に引き、この位置で、バッグ１３０の開口部１３２は、使用者によるアクセスのために、この切開の位置にある。このことは、管状部材１１０をさらに引くこと、または図８に示されるように、管状部材１１０をリム１４０から外した後に、リム１４０を掴んで引くことにより、達成され得る。このようなアクセスの場合、使用者は、ネット１５０の近位部分１５３を掴み、そして近位への引き込み力を付与し（図９）、これによって、ネット１５０を上記穿孔に沿って取り外すことにより、ネット１５０をそのバッグ１３０への取り付けから切断する。ここでネット１５０は、その細長い収縮した位置にあり、バッグ１３０から取り外され、従って、このバッグによってより広い直径（すなわち、横方向断面）にもはや拡張も伸長もしないので、このネットの内径は、好ましくは、標本Ｓの直径より小さく、これによって、標本Ｓに圧縮力を付与する。これによって、ネット１５０は標本Ｓをしっかりと保持し、この標本を圧縮して、この標本をその細長い形状に維持し、そしてこの標本が取り出し中にネット１５０の底部まで滑ることを防止する。
【００３１】
図１０に示されるように、一旦、この標本がネット１５０内にしっかりと保持されると、使用者は、バッグ１３０の近位部分をネット１５０と一緒に掴み、そして切開Ｉから引き出す。ネット１５０は、「中国風指捕り器」の様式で働き得、その結果、ネット１５０に近位への引き込み力を付与することにより、このネットを伸長させ、そして標本Ｓに損傷を与えることなくこの標本Ｓにさらなる圧縮力を付与することに留意のこと。このネットは、引き出される際に収縮し得る。このネットは、標本を圧縮する際にこの標本の実質的に楕円様の形状を維持して、切開の形状によりよく一致させ、取り出しを容易にし得る。
【００３２】
標本は、その長軸が切開に対して実質的に平行になるように維持され得、これにより、この切開またはポートを通して取り出すために必要とされる力を低下させることに留意のこと。また、理解され得るように、標本Ｓの配向および形状は、取り出しのみではなく病理学もまた容易にするように、実質的に維持される。さらに、取り出し前の標本の任意の圧縮または伸長が、バッグの内側で行われ、これは、播種の危険性を最小にする。
【００３３】
閉じ込め前の組織標本バッグは、播種の危険性が最小にされるようなものであることにもまた留意のこと。また、ネットが負荷を受けるのであり、回収バッグは負荷を受けないので、このバッグは、より薄くかつより軽量の材料から作製され得、そしてより透明にされ得る。
【００３４】
理解され得るように、患者の身体および腔は概略的に示されている。本開示の外科手術用回収装置は、最小侵襲性外科手術のために、胸腔、腹腔、および他の身体領域において使用され得ることが理解される。
【００３５】
ポートまたは切開を通しての取り出しを容易にするために、潤滑コーティングが、本明細書中に記載される標本回収バッグの外側表面に配置され得る。
【００３６】
組織サンプルの位置を示すために、印がバッグの長さに沿って提供され得る。
【００３７】
本開示の例示的な実施形態が添付の図面を参照しながら本明細書中に説明されたが、上記説明、開示、および図は、限定であると解釈されるべきではなく、単に、特定の実施形態の例示であると解釈されるべきである。従って、本開示は、これらの正確な実施形態に限定されないこと、ならびに他の種々の変更および改変が、本開示の範囲または趣旨から逸脱することなく当業者によりなされ得ることが、理解されるべきである。
【符号の説明】
【００３８】
１００  外科手術用回収装置
１１０  細長管状部材
１３０  回収バッグ
１４０  リム
１５０  ネット
１５２  穿孔線
【図１】
2011156352.tif 000003
【図２】
2011156352.tif 000004
【図３】
2011156352.tif 000005
【図４】
2011156352.tif 000006
【図５】
2011156352.tif 000007
【図６】
2011156352.tif 000008
【図７】
2011156352.tif 000009
【図８】
2011156352.tif 000010
【図９】
2011156352.tif 000011
【図１０】
2011156352.tif 000012